(57)【要約】【課題】建築物の部品の拾い出し作業において、部品の平面図を簡単に作成することができる建築物の部品拾い出しシステムを提供する。【解決手段】建築物の建築プランを記憶する記憶部４００と、所定の操作に基づいて前記建築物の平面図を作成する平面図作成部である制御部１００と、建築プランおよび平面図に基づき平面図を構成する部品を設定する部品設定部である制御部１００とを備え、制御部１００は、入力部２００における所定の操作により矩形図を組み合わせて平面図を作成する。【選択図】図１
2008282193.tif 000002
【特許請求の範囲】
【請求項１】
建築物の建築プランを記憶する記憶部と、
所定の操作に基づいて前記建築物の平面図を作成する平面図作成部と、
前記建築プランおよび前記平面図に基づき前記平面図を構成する部品を設定する部品設定部と、
を備えた建築物の部品拾い出しシステムであって、
前記平面図作成部は、矩形図を組み合わせて前記平面図を作成すること、
を特徴とする建築物の部品拾い出しシステム。
【請求項２】
前記平面図作成部は、平面図の座標を指示する所定の操作を異なる座標で２回行うことで、異なる座標を結ぶ線分を対角線とする矩形図を作成することを特徴とする請求項１に記載の建築物の部品拾い出しシステム。
【請求項３】
前記平面図作成部は、所定時間内に同じ座標で前記所定の操作を２回行うまで、前記矩形図の作成を継続することを特徴とする請求項２に記載の建築物の部品拾い出しシステム。
【請求項４】
前記平面図作成部は、複数の前記矩形図が重複する部分において、複数の前記矩形図を構成する線分を消去する機能を選択的に有することを特徴とする請求項１から３のいずれか１項に記載の建築物の部品拾い出しシステム。
【発明の詳細な説明】
【技術分野】
【０００１】
本発明は、建築物の建築に必要な部品の拾い出し作業を行う建築物の部品拾い出しシステムに関するものである。
【背景技術】
【０００２】
一般に、建築物を建築する際、建築メーカにより建築物の設計が行われた後に、建築資材メーカの担当者は、建築メーカから受け取った間取図を参照し、自社が担当する部位の平面図を描いて、自社が担当する部位にどのような部品がどの程度の数量必要なのかを認識し、部品の選定作業（拾い出し作業）を実施している（特許文献１）。
【０００３】
また、この部品の拾い出し作業を精度良く行うために、コンピュータを用いた作図方法、すなわちＣＡＤ（Ｃｏｍｐｕｔｅｒ  Ａｉｄｅｄ  Ｄｅｓｉｇｎ）を利用した作図方法を用いて部品の選定作業を行う装置が提案されている（特許文献２）。
【特許文献１】特開平６−１４９９４７号公報
【特許文献２】特開２００５−５６２４８公報
【発明の開示】
【発明が解決しようとする課題】
【０００４】
しかしながら、上述したＣＡＤを用いた作図方法では、線を繋げて平面図を描画するため、描画作業量が多く、作業効率が悪い、といった問題点があった。例えば、図１１に示すような平面図を描く場合、入力装置としてマウスを用いて描画を行うものとすると、まず基点Ｐ１においてマウスをクリック操作し、次に点Ｐ２でクリック操作を行って線Ｌ１を描き、次に点Ｐ３でクリック操作を行って線Ｌ２を描き、という操作を７回も繰り返す必要がある。
【０００５】
本発明は、建築物の部品の拾い出し作業において、部品の平面図を簡単に作成することができる建築物の部品拾い出しシステムを提供することを課題としている。
【課題を解決するための手段】
【０００６】
上記目的を達成するために、請求項１に記載された発明は、建築物の建築プランを記憶する記憶部と、所定の操作に基づいて前記建築物の平面図を作成する平面図作成部と、前記建築プランおよび前記平面図に基づき前記平面図を構成する部品を設定する部品設定部と、を備えた建築物の部品拾い出しシステムであって、前記平面図作成部は、矩形図を組み合わせて前記平面図を作成することを特徴としている。
【０００７】
また、請求項２に記載された発明は、請求項１において、前記平面図作成部は、平面図の座標を指示する所定の操作を異なる座標で２回行うことで、異なる座標を結ぶ線分を対角線とする矩形図を作成することを特徴としている。
【０００８】
また、請求項３に記載された発明は、請求項２において、前記平面図作成部は、所定時間内に同じ座標で前記所定の操作を２回行うまで、前記矩形図の作成を継続することを特徴としている。
【０００９】
さらに、請求項４に記載された発明は、請求項１〜３のいずれか１項において、前記平面図作成部は、複数の前記矩形図が重複する部分において、複数の前記矩形図を構成する線分を消去する機能を選択的に有することを特徴としている。
【発明の効果】
【００１０】
このように構成された請求項１に記載された発明は、建築物の部品拾い出しシステムにおいて、部品の拾い出しに必要な部品の平面図を、矩形図を組み合わせて簡単に作成することができる。
【００１１】
また、請求項２に記載された発明は、所定の操作を２回行うことで、矩形図を簡単に作成することができる。
【００１２】
また、請求項３に記載された発明は、所定時間内に同じ座標で前記所定の操作を２回行うまで、矩形図を連続して作成することができる。
【００１３】
さらに、請求項４に記載された発明は、複数の矩形図を組み合わせた平面図を簡単に作成することができる。  
【発明を実施するための最良の形態】
【００１４】
次に、図１から図７に基づいて、本発明を実施するための最良の実施の形態の建築物の部品の拾い出しシステムについて説明する。
【００１５】
図１は、本発明に係る建築物の部品拾い出しシステムの一実施形態を示すブロック図である。
【００１６】
建築物の部品拾い出しシステム１０は、制御部１００、入力部２００、表示部３００、記憶部４００、記憶媒体４１０、一時記憶部５００により構成されている。
【００１７】
制御部１００は、記憶媒体４１０から読み込まれ記憶部４００の記憶領域に格納される各種プログラムやデータ、入力部２００から入力される各種指示を一時記憶部５００に格納し、プログラムに従ってそれらの指示やデータに応じた処理を実行し、その処理結果を一時記憶部５００に一時的に記憶するとともに、表示部３００に出力する。
【００１８】
また、制御部１００は、入力部２００からの指示入力に基づいて部品の平面図を作成し、この平面図に記載された屋根、天井、床、壁等の建築構成要素に対して、一時記憶部５００に格納された高さ情報、仕上情報および建具情報等を属性情報として設定する処理を実行する。
【００１９】
入力部２００は、キーボードやいわゆるマウス等のポインティングデバイスにより構成され、指示入力信号を制御部１００に対して出力する。
【００２０】
表示部３００は、ＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）等により構成され、制御部１００から出力される部品の平面図や各種データ等を表示する。
【００２１】
記憶部４００は、磁気的、光学的記録媒体、若しくは半導体メモリで構成された記憶媒体４１０からプログラムやデータ等を読み込み、自身が備えた記憶領域に格納する。また、制御部１００から出力されたデータ等を、記憶媒体４１０に記憶させる。記憶媒体４１０は、記憶部４００に固定的に設けたもの、または着脱自在に装着するものである。
【００２２】
一時記憶部５００は、制御部１００により実行される各種処理プログラムや、その処理に係るデータを一時的に記憶する記憶領域を備えている。
【００２３】
上記制御部１００、入力部２００、表示部３００、一時記憶部５００が、請求項における平面図作成部および部品設定部に相当する。
【００２４】
次に、本実施形態における、部品の平面図の描画方法について説明を行う。
【００２５】
図２は、本実施形態における部品の拾い出し作業に伴う部品の平面図の作成作業のフローを示すフローチャートである。
【００２６】
ステップＳ１０１では、対象とする部品の平面図が作成される（後述）。この後に、フローはステップＳ１０２へ移行する。
【００２７】
ステップＳ１０２では、平面図が作成された部品に対し、その実寸や材料等を指示して部品を決定する部品の設定処理が行われる。作成された平面図の画面上の寸法と実際の寸法との比率はあらかじめ一時記憶部５００に記憶されており、または記憶媒体４１０から読み込まれて記憶部４００に格納されており、部品の平面図が作成されるとその部品の実寸が自動的に算出される。また、各部品の高さ情報、仕上情報、建具情報等の属性情報は、あらかじめ一時記憶部５００に記憶されており、または記憶媒体４１０から読み込まれて記憶部４００に格納されており、制御部１００により表示部３００に表示される部品設定メニュー（図示省略）により、作成された部品に対して任意に選択することができる。このような部品の設定処理は公知の技術であるため、詳細な説明は省略する。この後に、フローはステップＳ１０３へ移行する。
【００２８】
ステップＳ１０３で、一つの部品に対する部品の拾い出し作業は終了する。他に部品の拾い出し作業が必要な部品があれば、ステップＳ１０１、ステップＳ１０２の処理を繰り返せばよい。
【００２９】
図３は、本実施形態における部品の平面図の作成作業のフローを示すフローチャートである。また、図４〜図７は部品の平面図の描画状態を示す図である。
【００３０】
ステップＳ２０１では、マウスのクリック操作の有無が判定される。図４（ａ）、図５（ａ）に示すように、マウスのクリック操作によるクリック点Ｐ１がある場合は、矩形図の描画が開始されたことに相当し、フローはステップＳ２０２へ移行する。一方、マウスのクリック操作によるクリック点Ｐ１がない場合は、フローはステップＳ２０１へ戻り、マウスのクリック操作を待つ。
【００３１】
ステップＳ２０２では、ステップＳ２０１におけるマウスのクリック点Ｐ１を基点とし、マウスの指示点ＰＣを基点の対角点とした矩形図Ｚ１が描画される。例えば、図４（ｂ）、図５（ｂ）において、ステップＳ２０１におけるマウスのクリック点Ｐ１を基点とし、マウスの指示点ＰＣを基点の対角点とした矩形図Ｚ１が描画される。この状態では、マウスを動かしマウスの指示点ＰＣが移動すると、それに伴い矩形図Ｚ１の形状も変化する。この後にフローはステップＳ２０３へ移行する。
【００３２】
ステップＳ２０３では、マウスのクリック操作の有無が判定される。図４（ｃ）、図５（ｃ）に示すように、マウスのクリック点Ｐ２がある場合は、基点Ｐ１とクリック点Ｐ２を結ぶ線分を対角線とする矩形図Ｚ１が描画される。この後にフローはステップＳ２０４へ移行する。一方、マウスのクリック点Ｐ２がない場合は、フローはステップＳ２０２へ戻り、マウスのクリック操作を待つ。
【００３３】
ステップＳ２０４では、ステップＳ２０３で描画した矩形図Ｚ１と既存の図形Ｚ０との重複の有無が判定される。図５に、描画した矩形図Ｚ１と既存の図形Ｚ０との重複例を示す。ステップＳ２０３で描画した矩形図Ｚ１が既存の図形Ｚ０と重複している場合は、フローはステップＳ２０５へ移行する。一方、ステップＳ２０３で描画した矩形図Ｚ１が既存の図形Ｚ０と重複していない場合は、フローはステップＳ２０６へ移行する。
【００３４】
ステップＳ２０５では、ステップＳ２０３で描画した矩形図Ｚ１と既存の図形Ｚ０の重複部分の線分が消去される。例えば、図６（ａ）において、線分Ｌ１と線分Ｌ２とが消去され、図６（ｂ）に示す図形となる。また、図７（ａ）において、線分Ｌ１、線分Ｌ２、線分Ｌ３、線分Ｌ４が消去され、図７（ｂ）に示す図形となる。この後にフローはステップＳ２０６へ移行する。
【００３５】
以降、ここまでのフローで決定した図形を新たに図形Ｚ１とする。
【００３６】
ステップＳ２０６では、描画された図形Ｚ１の角点の座標が、一時記憶部５００に記憶される。例えば、図４（ｃ）では、点Ｐ１〜Ｐ４の座標が一時記憶部５００に記憶される。また、図６（ｂ）では、点Ｐ０１、Ｐ０３、Ｐ０４、Ｐ２〜Ｐ４の座標が一時記憶部５００に記憶される。また、図７（ｂ）では、点Ｐ０１、Ｐ０３、Ｐ０４、Ｐ１、Ｐ３〜Ｐ６の座標が一時記憶部５００に記憶される。この後にフローはステップＳ２０７へ移行する。
【００３７】
ステップＳ２０７では、部品の平面図の作成作業を終了するか否かが判定される。部品の平面図の作成作業を終了する場合は、フローはステップＳ２０８へ移行する。一方、部品の平面図の作成作業を継続する場合は、フローはステップＳ２０１へ戻る。
【００３８】
ステップＳ２０８で、部品の平面図の作成作業は終了する。
【００３９】
以上の操作により、本発明の実施形態において、例えば図６（ｂ）に示す部品の平面図を描く場合は、点Ｐ０１、Ｐ０２、Ｐ１、Ｐ２でのマウスのクリック操作を４回行うことで、部品図を作成することができる。一方、従来の線分を組み合わせて描画を行う方法では、図１１に示すようにまず基点Ｐ１においてマウスをクリック操作し、次に点Ｐ２でクリック操作を行って線Ｌ１を描き、次に点Ｐ３でクリック操作を行って線Ｌ２を描き、という操作を７回繰り返す必要がある。したがって、同じ図形を描画する場合、マウスのクリック操作を７回から４回に減らすことができ、作業効率を大幅に向上し、部品の平面図を簡単に作成することができる。
【００４０】
以上のように、本実施形態では、矩形図を組み合わせて部品図を作成することで、部品の平面図を簡単に作成することができる。
【００４１】
なお、ステップＳ２０４とステップＳ２０５における、描画した矩形図Ｚ１と既存の図形Ｚ０の重複部分の線分の消去については、選択的な機能とし、重複部分の線分を消去しない描画方法を合わせて備えていても良い。
【実施例１】
【００４２】
本実施例では、前述した実施形態に対し、矩形図の描画方法が異なる実施例である。このため、矩形図の描画方法についてのみ、説明を行う。
【００４３】
本実施例では、マウスを同じ位置でダブルクリック操作することで描画した矩形が確定し、マウスを同じ位置でダブルクリック操作するまでは矩形図の描画が継続する描画方法の例である。
【００４４】
図８は、本実施例における部品の平面図の作成作業のフローを示すフローチャートである。また、図９、図１０は部品の平面図の描画状態を示す図である。
【００４５】
ステップＳ３０１では、マウスのクリック操作の有無が判定される。図９（ａ）に示すように、マウスのクリック操作によるクリック点Ｐ１がある場合は、図形の描画が開始されたことに相当し、フローはステップＳ３０２へ移行する。同様に、図１０（ａ）に示すように、マウスのクリック操作によるクリック点Ｐ２がある場合は、図形の描画が開始されたことに相当し、フローはステップＳ３０２へ移行する。一方、マウスのクリック操作がない場合は、フローはステップＳ３０１へ戻り、マウスのクリック操作を待つ。
【００４６】
ステップＳ３０２では、ステップＳ３０１におけるマウスのクリック点を基点とし、マウスの指示点ＰＣを基点の対角点とした矩形図Ｚ１が描画される。例えば、図９（ｂ）において、ステップＳ３０１におけるマウスのクリック点Ｐ１を基点とし、マウスの指示点ＰＣを基点の対角点とした矩形図Ｚ１が描画される。また、図１０（ｂ）において、ステップＳ３０１におけるマウスのクリック点Ｐ２を基点とし、マウスの指示点ＰＣを基点の対角点とした矩形図Ｚ１が描画される。この状態では、マウスを動かしマウスの指示点ＰＣが移動すると、それに伴い矩形図Ｚ１の形状も変化する。この後にフローはステップＳ３０３へ移行する。
【００４７】
ステップＳ３０３では、現在描画している矩形図Ｚ１と既に描かれた既存図形Ｚ０との重複の有無が判定される。現在描画している矩形図Ｚ１と既に描かれた既存図形Ｚ０との重複がある場合は、フローはステップＳ３０４へ移行する。一方、現在描画している矩形図Ｚ１と既に描かれた既存図形Ｚ０との重複がない場合は、フローはステップＳ３０５へ移行する。図９においては、既存図形Ｚ０は存在しないため、フローはステップＳ３０５へ移行する。一方、図１０においては、既存図形Ｚ０が存在するため、フローはステップＳ３０４へ移行する。
【００４８】
ステップＳ３０４では、現在描画している矩形図Ｚ１と既に描かれた既存図形Ｚ０との重複部分の線分が消去される。図１０（ｂ）では、現在描画している矩形図Ｚ１と既存図形Ｚ０との重複部分、すなわち、破線で描いた線分Ｌ１、Ｌ２が消去されており、実際には表示されない。この後にフローはステップＳ３０５へ移行する。
【００４９】
ステップＳ３０５では、マウスのダブルクリック操作の有無が判定される。本実施例では、マウスのダブルクリック操作で矩形図の描画作業が終了する。したがって、本ステップは、矩形図の描画作業が終了したか否かの判定となる。マウスのダブルクリック操作がある場合は、矩形図の描画作業が終了し、フローはステップＳ３０８へ移行する。一方、マウスのダブルクリック操作がない場合は、引き続き描画作業を継続すべく、フローはステップＳ３０６へ移行する。図９（ｃ）は、マウスのダブルクリック操作がない状態で、矩形図Ｚ１の描画が終了し、引き続き描画作業が継続する状態、図１０（ｃ）は、マウスのダブルクリック操作があり、矩形図Ｚ１の描画が終了し、描画作業が終了した状態である。
【００５０】
ステップＳ３０６では、マウスのクリック操作の有無が判定される。マウスのクリック操作がある場合は、フローはステップＳ３０７へ移行する。一方、マウスのクリック操作がない場合は、フローはステップＳ３０２へ戻り、矩形図Ｚ１の描画が継続される。
【００５１】
ステップＳ３０７では、２回のクリック操作に基づいた矩形図Ｚ１が決定される。図９（ｃ）に示すように、基点Ｐ１に対しマウスのクリック点Ｐ２がある場合は、基点Ｐ１とクリック点Ｐ２を結ぶ線分を対角線とする矩形図Ｚ１が描画される。この後にフローはステップＳ３０２へ移行し、次の矩形図の描画が継続される。
【００５２】
ステップＳ３０８では、描画された矩形図または矩形図の組合せからなる図形の角点の座標が、一時記憶部５００に記憶される。例えば、図１０（ｃ）では、点Ｐ１、Ｐ３、ＰＡ〜ＰＤの座標が一時記憶部５００に記憶される。この後にフローはステップＳ３０９へ移行する。
【００５３】
ステップＳ３０９では、部品の平面図の作成作業を終了するか否かが判定される。部品の平面図の作成作業を終了する場合は、フローはステップＳ３１０へ移行する。一方、部品の平面図の作成作業を継続する場合は、フローはステップＳ３０１へ戻る。
【００５４】
ステップＳ３１０で、部品の平面図の作成作業は終了する。
【００５５】
以上の操作により、本発明の実施形態において、例えば図１０（ｃ）に示す部品図を描く場合は、点Ｐ１、Ｐ２でのマウスのクリック操作と点Ｐ３でのダブルクリック操作、すなわちマウスのクリック操作を４回行うことで、部品図を作成することができる。一方、従来の線分を組み合わせて描画を行う方法では、図１１に示すようにまず基点Ｐ１においてマウスをクリック操作し、次に点Ｐ２でクリック操作を行って線Ｌ１を描き、次に点Ｐ３でクリック操作を行って線Ｌ２を描き、という操作を７回繰り返す必要がある。したがって、同じ図形を描画する場合、マウスのクリック操作を７回から４回に減らすことができ、作業効率を大幅に向上し、部品の平面図を簡単に作成することができる。
【００５６】
以上のように、本実施形態では、矩形図を組み合わせて部品図を作成することで、部品の平面図を簡単に作成することができる。
【００５７】
なお、ステップＳ３０３とステップＳ３０４における、描画した矩形図Ｚ１と既存の図形Ｚ０の重複部分の線分の消去については、選択的な機能とし、重複部分の線分を消去しない描画方法を合わせて備えていても良い。
【００５８】
以上、図面を参照して、本発明の実施の形態を詳述してきたが、具体的な構成は、この実施の形態に限らず、本発明の要旨を逸脱しない程度の設計的変更は、本発明に含まれる。
【００５９】
例えば、ブロック図は図１に示すものに限定されるものではなく、実施形態、実施例１と同等の動作を行うものであれば良い。
【００６０】
また、実施形態、実施例１においては、入力装置としてマウスを例に説明を行ったが、マウスに限定されるものではなく、いわゆるトラックボールやトラックパッド等、他のポインティングデバイスであっても良い。
【図面の簡単な説明】
【００６１】
【図１】本発明の実施形態におけるブロック図である。
【図２】本発明の実施形態の部品の拾い出し作業の基本動作を示すフローチャートである。
【図３】本発明の実施形態における部品の平面図の作成作業のフローチャートである。
【図４】本発明の実施形態における部品の平面図の作成作業の説明図である。
【図５】本発明の実施形態における部品の平面図の作成作業の他の説明図である。
【図６】本発明の実施形態における部品の平面図の作成作業の他の説明図である。
【図７】本発明の実施形態における部品の平面図の作成作業の他の説明図である。
【図８】本発明の実施例１における部品の平面図の作成作業のフローチャートである。
【図９】本発明の実施例１における部品の平面図の作成作業の説明図である。
【図１０】本発明の実施例１における部品の平面図の作成作業の他の説明図である。
【図１１】先行技術における部品の平面図の作成作業の説明図である。
【符号の説明】
【００６２】
１００  制御部
２００  入力部
３００  表示部
４００  記憶部
４１０  記憶媒体
５００  一時記憶部
【図１】
2008282193.tif 000003
【図２】
2008282193.tif 000004
【図３】
2008282193.tif 000005
【図４】
2008282193.tif 000006
【図５】
2008282193.tif 000007
【図６】
2008282193.tif 000008
【図７】
2008282193.tif 000009
【図８】
2008282193.tif 000010
【図９】
2008282193.tif 000011
【図１０】
2008282193.tif 000012
【図１１】
2008282193.tif 000013